(57)【要約】      （修正有）【課題】表底の表面に形成した窓を通して外部から視認できる密閉した液体封入体を設けることにより、その液体の動きの変化を楽しんだり水準器等の役割を果たし、また、液体中に充填した発光体が夜間等において、液体中を移動することによる他の者や移動する車両の運転者等に一層の注意を喚起させる等の変化のある動きが期待できる等の変化を楽しむことができる靴底を提供する。【解決手段】表底１の側面部位及び又は該表底の背面部位に細長い窓、円形窓、楕円窓、菱形窓等の各種形状をした窓２を有するチャンバ３を形成し、該チャンバに透明又は半透明な合成樹脂製密封袋体を装填し、該透明又は半透明な合成樹脂製密封袋体４に液体を封入し、該液体を封入した透明又は半透明な合成樹脂製密封袋体に蛍光材、蓄光材等からなる発光体５を流動可能に充填したことを特徴とする。【選択図】図２
2004248689.tif 000002
【特許請求の範囲】
【請求項１】
表底の側面部位及び又は該表底の背面部位に細長い窓、円形窓、楕円窓、菱形窓等の各種形状をした窓を有するチャンバを形成し、該チャンバに透明又は半透明な合成樹脂製密封袋体を装填し、該透明又は半透明な合成樹脂製密封袋体に液体を封入し、該液体を封入した透明又は半透明な合成樹脂製密封袋体に蛍光材、蓄光材等からなる発光体を流動可能に充填したことを特徴とする靴底。
【請求項２】
表底の側面部位及び又は該表底の背面部位に細長い窓、円形窓、楕円窓、菱形窓等の各種形状をした窓を有するチャンバを形成し、該チャンバに透明又は半透明な合成樹脂製密封袋体を装填し、該透明又は半透明な合成樹脂製密封袋体に着色された液体又は透明な液体の流動が視認できる程度の量を封入し、該液体中に移動可能な装飾体を封入したことを特徴とする靴底。
【発明の詳細な説明】
【０００１】
【発明の属する技術分野】
本発明はスポーツシューズ、サンダルシューズ、スニーカー、運動靴等の比較的表底の厚い靴底を対象とした靴底に関する。
【０００２】
【従来の技術】
従来、この種の靴底として、設地面を有するアウトソールにミッドソールを積層し、前記アウトソールとミッドソール間に、多数個の空気室を気密に設けたものがある（例えば、特許文献１参照特開平６−３０２３６０号公報）。
【０００３】
【特許文献１】特開平７−２９８９０５号公報（第１頁〜第２頁、図１〜図８参照）。
【０００４】
【発明が解決しようとする課題】
上記従来技術は、接地面を有するアウトソール１１とミッドソール１２に衝撃が加えられると、が変形してその中の空気が圧縮され、ものである。
しかし、上記従来技術は、接地面から加えられた衝撃を空気室１５で緩和できるという利点を有するも、表底の表面に形成した窓を通して外部から視認できる密閉した液体封入体を設ける旨の記載はなく、その液体の動きの変化や液体中に充填した発光体が夜間等において、液体中を移動することによる他の者や移動する車両の運転者等に一層の注意を喚起させる等の変化のある動きを期待することはできない。
【０００５】
本発明は上記の点に鑑みてなされたもので、その目的とするところは、表底の表面に形成した窓を通して外部から視認できる密閉した液体封入体を設けることにより、その液体の動きの変化を楽しんだり水準器等の役割を果たし、また、液体中に充填した発光体が夜間等において、液体中を移動することによる他の者や移動する車両の運転者等に一層の注意を喚起させる等の変化のある動きが期待できる等の変化を楽しむことができる靴底を提供することにある。
【０００６】
【課題を解決するための手段】
本発明に係る靴底は、表底の側面部位及び又は該表底の背面部位に細長い窓、円形窓、楕円窓、菱形窓等の各種形状をした窓を有するチャンバを形成し、該チャンバに透明又は半透明な合成樹脂製密封袋体を装填し、該透明又は半透明な合成樹脂製密封袋体に液体を封入し、該液体を封入した透明又は半透明な合成樹脂製密封袋体に蛍光材、蓄光材等からなる発光体を流動可能に充填したものである。
【０００７】
また本発明に係る靴底は、表底の側面部位及び又は該表底の背面部位に細長い窓、円形窓、楕円窓、菱形窓等の各種形状をした窓を有するチャンバを形成し、該チャンバに透明又は半透明な合成樹脂製密封袋体を装填し、該透明又は半透明な合成樹脂製密封袋体に着色された液体又は透明な液体の流動が視認できる程度の量を封入し、該液体中に移動可能な装飾体を封入したものである。
【０００８】
【実施例】
以下、本発明の一実施例を図面に基いて説明する。
図１は本発明の一実施例を示す断面図である。
１は靴の床面に接する表底（アウトソール又は本底ともいう）で、ＳＢＲを主とした合成ゴム、硬質スポンジ、ＰＶＣ、ＡＢＳ、ＥＶＡ、ナイロン樹脂等の合成樹脂、発泡したウレタン樹脂等の発泡樹脂、その他木製等であっても良い。表底１の側面部位１ａ及び又は表底１の背面部位１ｂに細長い窓、円形窓、楕円窓、菱形窓等の各種形状をした窓２を有するチャンバ３を形成する。チャンバ３は表底１の成形時に透明又は半透明な合成樹脂製密封袋体４が装填し得る大きさに形成しておく。透明又は半透明な合成樹脂製密封袋体４は例えば両端を密封した筒体、球体等の各種形状をしたＰＣＶ樹脂その他の軟質の合成樹脂で作られる。そしてこの透明又は半透明な合成樹脂製密封袋体４には空気によって変色しない液体、例えば透明又は青色、赤色等に着色された流動性の良好なオイル等を封入する。水は空気によって変色するので好ましくない。透明又は半透明な合成樹脂製密封袋体４に封入する着色された液体又は透明な液体は流動が視認できる程度の量が封入される。
【０００９】
また透明又は半透明な合成樹脂製密封袋体４には蛍光材、蓄光材等からなる発光体５が流動可能に充填されている。蛍光材は太陽光や蛍光灯（ブラックライト）の下であざやかな色彩を発する。蓄光材は太陽あるいは蛍光灯などの光を吸収し、夜間や暗所で発光する。発光体５はガラス玉や樹脂製玉に発光材を塗布したり、各種形状の表面が発光するものであれば良い。要は液体を封入した透明又は半透明な合成樹脂製密封袋体４の中で流動可能に充填されていればよい。
【００１０】
【発明の効果】
本発明は、上記の説明から判るように、表底の側面部位及び又は該表底の背面部位に細長い窓、円形窓、楕円窓、菱形窓等の各種形状をした窓を有するチャンバを形成し、該チャンバに透明又は半透明な合成樹脂製密封袋体を装填し、該透明又は半透明な合成樹脂製密封袋体に液体を封入し、該液体を封入した透明又は半透明な合成樹脂製密封袋体に蛍光材、蓄光材等からなる発光体を流動可能に充填したことを特徴とする靴底であるから、表底の表面に形成した窓を通して外部から液体封入体を視認することができる。その液体は着色されている場合、液体の動きの変化を楽しんだり、時には靴を水平に持つことにより水準器等の役割を果たし、坂道での傾斜具合を測定することができる。
【００１１】
また、透明又は半透明な合成樹脂製密封袋体に封入した液体中の発光体は夜間や暗所等において、液体中を移動しながら発光するので、人や移動する車両の運転者等にとっては、発光体の動きが複雑な変化をしながら発光するので、これらの者に一層の注意を引き起こさせることができる。また、靴を履いている人は変化のある動きを楽しむことができる。
さらに透明又は半透明な合成樹脂製密封袋体に封入した液体中の装飾体は色々な動きをすることになり、靴の購買意欲を高め、その靴を履いている人も装飾体の動きを楽しむことができる。
【図面の簡単な説明】
【図１】本発明の一実施例を示す斜視図である。
【図２】本発明の一実施例を示す一部切欠断面図である。
【図３】本発明に係る透明又は半透明な合成樹脂製密封袋体の側面図である。
【符号の説明】
１        表底
１ａ      側面部位
１ｂ      背面部位
２        窓
３        チャンバ
４        透明又は半透明な合成樹脂製密封袋体
５        発光体
【図１】
2004248689.tif 000003
【図２】
2004248689.tif 000004
【図３】
2004248689.tif 000005